(57)【特許請求の範囲】
【請求項１】
券銭投入口から投入された券と硬貨とを分離する券銭分離装置であって、共に同じ角度だけ傾斜しわずかな間隔だけ隔てて対向し硬貨を傾斜に沿って滑落させ、かつ互いに協働して券を巻き込む方向に回転する一対の傾斜ローラを備え、これら一対の傾斜ローラを接離自在とし、傾斜ローラが離間することにより傾斜ローラの間を下降する券落とし部材を設けたことを特徴とする券銭分離装置。
【請求項２】
請求項１記載の券銭分離装置において、前記一対の傾斜ローラの一方を固定ローラとし、他方を可動ローラとし、固定ローラ側に前記券落とし部材を回動自在に支持し、可動ローラ側に、前記一対の傾斜ローラが離間するのに連動して前記券落とし部材を回動させ傾斜ローラ間を下降させる作動部を設けたことを特徴とする券銭分離装置。
【請求項３】
請求項１または２記載の券銭分離装置において、前記一対の傾斜ローラの硬貨滑落方向下流側に券の滑落を規制する弾性変形可能な部材で形成した券滑落規制部材を設けたことを特徴とする券銭分離装置。
【発明の詳細な説明】
【０００１】
【発明の属する技術分野】
本発明は、ワンマンバス等に設置される料金収納装置の内部に設けられ、硬貨と印刷された紙からなる乗車券、回数券、整理券等（以下、券という）とを分離する券銭分離装置に関する。
【０００２】
【従来の技術】
この種の券銭分離装置において、券銭投入口に投入された券が、何らかの原因で一対の傾斜ローラに巻き込まれることなく、傾斜ローラ上に滞留したり硬貨といっしょに硬貨計数部側に導かれてしまい、硬貨と分離できない場合がある。この場合には、後続して投入される硬貨や券の流れが阻害されるばかりか、券詰まりによるエラーを起こすことにより機械が停止したり、券が硬貨計数部側に進入することにより、硬貨の計数や選別に悪影響を及ぼすことになる。このため従来は、一対の傾斜ローラを互いに接離自在となるようにして、券が傾斜ローラ上で滞留したら、これら傾斜ローラを互いに離間させることにより、滞留した券を落下させるようにしていた。
【０００３】
図５ないし図８は従来の券銭分離装置を示したもので、図５は図６におけるV-V 線断面図、図６は側面図、図７は平面図、図８は動作を説明するための図５におけるVIII矢視図である。
図５および図６において、全体を符号１で示す券銭分離装置には、図示を省略した料金収納装置内に立設された固定フレーム２と、この固定フレーム２に対向し図中矢印Ａ方向、すなわち固定フレーム２と対向した状態を保ったまま固定フレーム２から離間する方向に移動自在に支持された可動フレーム３とが備えられている。
【０００４】
図６および図７に示すように、固定フレーム２と可動フレーム３の前端部と後部には、互いに連設するように前板４，６と後板５，７とが、それぞれ水平面に対して傾斜するように固定されている。このうち、固定フレーム２の前板４と後板５との間には、図５中右下がりに傾斜した傾斜ローラ９が回転自在に支持されている。また、可動フレーム３の前板６と後板７との間には、傾斜ローラ９にわずかな間隔だけ隔てて互いに対向し、傾斜ローラ９と同じ角度に傾斜した傾斜ローラ１０が回転自在に支持されている。
【０００５】
固定フレーム２の前板４の裏面にはモータ１１が固定され、前板４の表面側に突出するモータ軸にはギア１２が軸着され、このギア１２には傾斜ローラ９の端軸に軸着されたギア１３が噛合している。さらに、このギア１３には、傾斜ローラ１０の端軸に軸着されたギア１４が噛合しており、モータ１１を駆動することによって、図８に示すように、一方の傾斜ローラ９は図中反時計方向に回転し、他方の傾斜ローラ１０は時計方向に回転する。
【０００６】
図７において、１６，１７は互いに対向するように立設されたガイド板であって、ガイド板１６は固定フレーム２の前板４に固定され、ガイド板１７は可動フレーム３の前板６に固定されており、図８に示すように、一対の傾斜ローラ９，１０の上方に近接して位置付けられている。これらガイド板１６，１７には、図示を省略したスリーブを介してプリント配線板１８，１８が固定され、これら一対のプリント配線板１８，１８には、互いに対向するように、複数対の発光、受光素子２０，２１が設けられている。これら発光、受光素子２０，２１は、図５に示すように、ガイド板１６，１７（ガイド板１７と受光素子２１は図示されず）の全面にわたって設けられ、後述する券２４がこれらガイド板１６，１７間に滞留するとこれを検出する。
【０００７】
図５および図７において、２３は略角筒状に形成された券銭投入口部材であって、下方の開口がガイド板１６，１７間の空間に連通するように、傾斜ローラ９，１０の上方に設けられている。この券銭投入口部材２３から投入された券２４と硬貨（図示せず）は、ガイド板１６，１７間に案内されて一対の傾斜ローラ９，１０に落下し、券２４は傾斜ローラ９，１０の回転に巻き込まれて下方に設けられた券収納部２５に落下する。一方、硬貨は、一対の傾斜ローラ９，１０の傾斜に沿って、これら傾斜ローラ９，１０上を図５中右方に滑落または転動し、硬貨を選別および計数する硬貨計数部２６に落下する。
【０００８】
図７において、３０は固定フレーム２の裏面に固定されたモータであって、このモータ３０の駆動は、ベルト３１を介して固定フレーム２と可動フレーム３とに横架された駆動軸３２に回転伝達されている。この駆動軸３２の図中下部側にはねじ部３２ａが設けられ、このねじ部３２ａに螺合する移動子３３が可動フレーム３とガイド板１７に挟まれ回転が規制されるようにして固定されている。したがって、モータ３０が正、逆方向に駆動されると、駆動軸３２が正、逆方向に回転し、移動子３３が図中矢印Ａ−Ｂ方向に移動するので、可動フレーム３も図中矢印Ａ−Ｂ方向に移動し、傾斜ローラ９，１０間が接離自在となっている。
【０００９】
次に、このような構成の券銭分離装置１において、券２４と硬貨の分離動作を説明する。
あらかじめ、図８（ａ）に示すように、一対の傾斜ローラ９，１０は互いにわずかな隙間を有して対向させるとともに、モータ１１を駆動し、傾斜ローラ９を反時計方向に回転させ、傾斜ローラ１０を時計方向に回転させている。
【００１０】
このような状態において、図５に示すように、券銭投入口部材２３から券２４と硬貨が投入されると、図８（ｂ）に示すように、券２４と硬貨は一対のガイド板１６，１７に案内され、一対の傾斜ローラ９，１０上に落下する。券２４の下端が傾斜ローラ９，１０の周面に当接すると、傾斜ローラ９，１０が券２４を巻き込む方向に回転しているので、券２４は両傾斜ローラ９，１０の隙間から券収納部２５に落下し、硬貨は傾斜ローラ９，１０上を滑落または転動して硬貨計数部２６に落下する。何らかの原因で、券２４が両傾斜ローラ９，１０の隙間から券収納部２５に落下しない場合には、発光、受光素子２０，２１によって滞留した券２４を検出することにより、モータ３０が駆動され、可動フレーム３を図７中矢印Ａ方向に移動させるので、図８（ｃ）に示すように、一方の傾斜ローラ１０が他方の傾斜ローラ９から離間し、滞留した券２４は券収納部２５に落下する。
【００１１】
【発明が解決しようとする課題】
上述した従来の券銭分離装置においては、図８（ｄ）に示すように、投入された券２４が断面Ｕ字状に折れ曲がった状態のときには、同図（ｅ）に示すように、傾斜ローラ９，１０間を離間させても、券２４が傾斜ローラ９，１０に巻き込まれることないので、券２４が両傾斜ローラ９，１０の間から券収納部２５に落下することがない。したがって、再び傾斜ローラ９，１０を対接させると、同図（ｄ）に示すように、券２４は再びＵ字状に折れ曲がった状態で傾斜ローラ９，１０上に滞留するので、傾斜ローラ９，１０上を滑落して誤って硬貨計数部２６内に落下するという問題があった。また、券２４を傾斜ローラ９，１０の下方に落下させるのに、傾斜ローラ９，１０を券２４の幅よりも大きく離間させる必要があり、装置の大型化と開閉のための動作時間が長くなるという問題もあった。
【００１２】
本発明は上記した従来の問題に鑑みなされたものであり、第１の目的は券と硬貨を確実に分離することにある。また、第２の目的は装置の小型化を図ることにある。さらに、第３の目的は滞留した券の回収時間を短縮することにある。
【００１３】
【課題を解決するための手段】
この目的を達成するために、請求項１に係る発明は、券銭投入口から投入された券と硬貨とを分離する券銭分離装置であって、共に同じ角度だけ傾斜しわずかな間隔だけ隔てて対向し硬貨を傾斜に沿って滑落させ、かつ互いに協働して券を巻き込む方向に回転する一対の傾斜ローラを備え、これら一対の傾斜ローラを接離自在とし、傾斜ローラが離間することにより傾斜ローラの間を下降する券落とし部材を設けたものである。
したがって、一対の傾斜ローラの上に滞留した券は、傾斜ローラが離間すると、券落とし部材によって強制的に傾斜ローラの下方に落とされる。
【００１４】
また、請求項２に係る発明は、請求項１に係る発明において、前記一対の傾斜ローラの一方を固定ローラとし、他方を可動ローラとし、固定ローラ側に前記券落とし部材を回動自在に支持し、可動ローラ側に、前記一対の傾斜ローラが離間するのに連動して前記券落とし部材を回動させ傾斜ローラ間を下降させる作動部を設けたものである。
したがって、可動ローラの離間に連動して作動部材が下降する。
【００１６】
また、請求項３に係る発明は、請求項１または２に係る発明において、前記一対の傾斜ローラの硬貨滑落方向下流側に券の滑落を規制する弾性変形可能な部材で形成した券滑落規制部材を設けたものである。
したがって、一対の傾斜ローラ間に滞留した券は、傾斜ローラが離間すると、券落とし部材によって強制的に傾斜ローラ間から下方に落とされる。また、硬貨は券滑落規制部材を弾性変形させながら、券滑落規制部材を通過する。
【００１７】
【発明の実施の形態】
以下、本発明の実施の形態を図に基づいて説明する。図１（ａ）は図２における I（ａ）-I（ａ）線断面図、同図（ｂ）は券滑落規制部材の外観を示す斜視図、図２は本発明に係る券銭分離装置の平面図である。図３は図１におけるIII 矢視図、図４は同じく動作を説明するための図２におけるIV-IV 線断面図である。これらの図において上述した図５ないし図８に示す従来技術において説明した同一または同等の部材については、同一の符号を付し詳細な説明は適宜省略する。
【００１８】
図２に示すように、固定フレーム２の前板４側の端部には、平面視Ｌ字状で可動フレーム３側に延設されたブラケット４１が固定されている。図３に示すように、このブラケット４１には、軸４３を介して券落とし部材４２の基部が回動自在に支持され、この基部には係合突起４２ａが突設され、先端には券落とし部４２ｂが略直角に折曲形成されている。この券落とし部材４２は、軸４３に巻回されたねじりコイルばね４４によって、図中時計方向に付勢された状態が保持され、券落とし部４２ｂが一対の傾斜ローラ９，１０の略中間でかつ上方に位置付けられ、図１に示すように傾斜ローラ９，１０の軸線方向に延設されている。
【００１９】
図３において、４６は平板状の作動部材であって、基部が前板６に固定されており、可動フレーム３が矢印Ａ方向に移動することにより、券落とし部材４２の係合突起４２ａに係合し、同図（ｂ）に示すように、券落とし部材４２をねじりコイルばね４４のねじりモーメントに抗して図中反時計方向に回動させる。券落とし部材４２が反時計方向に回動することにより、券落とし部４２ｂが互いに離間した一対の傾斜ローラ９，１０間を下降するように構成されている。
【００２０】
図１に示すように、券滑落規制部材４８は、傾斜ローラ９の図中右端側、すなわち硬貨滑落方向Ｃの下流側に、図２で示すようにブラケット４９を介して、ガイド板１７に固定されている。この券滑落規制部材４８は、全体が厚みの薄いゴムからなり、図１（ｂ）に示すように、２個の切欠き４８ｂを挟むようにする３個の細長い足部４８ａによってのれん状に形成され、これら３個の足部４８ａの下端が一対の傾斜ローラ９，１０の上面に添接している。
【００２１】
次に、このような構成の券銭分離装置１における券と硬貨を分離する分離動作を説明する。
図１（ａ）に示すように、券銭投入口部材２３から券２４と硬貨が投入されると、券２４と硬貨は一対のガイド板１６，１７に案内され、一対の傾斜ローラ９，１０上に落下する。このとき、券２４が断面Ｕ字状に折り曲げられているときには、券２４が一対の傾斜ローラ９，１０間の隙間から券収納部２５に落下することなく、硬貨と共に傾斜ローラ９，１０上を図中右方に滑落する。
【００２２】
一対の傾斜ローラ９，１０の図中右端側には、券滑落規制部材４８が設けられていることにより、比較的軽量の券２４はこの券滑落規制部材４８によって滑落が規制され、硬貨計数部２６へ落下するのを規制される。一方、券２４よりも重量の大きい硬貨は、券滑落規制部材４８が弾性変形可能で、かつ厚み薄いゴムによって形成されていることにより、この券滑落規制部材４８を弾性変形させながら、この券滑落規制部材４８を通過して、硬貨計数部２６へ落下する。
【００２３】
券滑落規制部材４８によって滑落が規制された券２４は、図４（ａ）示すように、券２４の両端部が一対のガイド板１６，１７に挟持されるように保持される。したがって、一対の傾斜ローラ９，１０の回転にもかかわらず、券２４が傾斜ローラ９，１０間に巻き込まれることなく、傾斜ローラ９，１０上に滞留する。券２４が滞留したことを発光、受光素子２０，２１が検出すると、モータ３０が正方向に駆動し、図３（ｂ）に示すように、可動フレーム３が図中矢印Ａ方向に移動するので、一方の傾斜ローラ１０が他方の傾斜ローラ９から離間する。
【００２４】
可動フレーム３が図中矢印Ａ方向に移動することにより、作動部材４６が券落とし部材４２の係合突起４２ａに係合するので、券落とし部材４２をねじりコイルばね４４のねじりモーメントに抗して図中反時計方向に回動させる。券落とし部材４２が反時計方向に回動することにより、図４（ｂ）に示すように、券落とし部４２ｂが互いに離間した一対の傾斜ローラ９，１０間を下降するので、券２４が券落とし部４２ｂによって強制的に下方に押圧される。したがって、一対の傾斜ローラ９，１０に保持されていた券２４は、傾斜ローラ９，１０による保持が解除され、券収納部２５に確実に落下する。
【００２５】
このように、硬貨と共に券銭投入口部材２３から投入された券２４は、券滑落規制部材４８によって硬貨計数部２６への滑落が規制され、かつ券落とし部材４２によって、券収納部２５に確実に落下するので、硬貨と確実に分離される。また、券落とし部材４２は可動フレーム３の移動に連動して動作するようにしたことにより、可動フレーム３を駆動するモータ３０を共用することができるので、構造が簡素化できるだけでなく部品点数も削減され、かつ安価に形成することができる。また、券落とし部材４２を設けたことにより、傾斜ローラ９，１０を券２４の幅よりも大きく離間させる必要がないので、装置が小型化されるとともに、傾斜ローラ９，１０の離間時間も短くすることができるので、傾斜ローラ９，１０上に滞留した券２４の回収時間も短縮できる。
【００２６】
なお、券滑落規制部材４８を可動側のガイド板１７に固定したが、固定側のガイド板１６に固定してもよい。また、券落とし部材４２の駆動を、ロータリソレノイド等によって行ってもよく、種々の設計変更が可能である。
【００２７】
【発明の効果】
以上説明したように、請求項１に係る発明によれば、券と硬貨とが確実に分離される。また、装置が小型化されるとともに、傾斜ローラ上に滞留した券の回収時間も短縮できる。
【００２８】
また、請求項２に係る発明によれば、券落とし部材を駆動する駆動源を可動ローラを駆動する駆動源と共用することができるので、構造が簡素化できるだけでなく部品点数も削減され、かつ安価に形成することができる。
【００３０】
また、請求項３に係る発明によれば、券と硬貨とがより確実に分離される。
【図面の簡単な説明】
【図１】  同図（ａ）は、図２における I（ａ）-I（ａ）線断面図、同図（ｂ）は券滑落規制部材の外観を示す斜視図である。
【図２】  本発明に係る券銭分離装置の平面図である。
【図３】  図１におけるIII 矢視図である。
【図４】  本発明に係る券銭分離装置の動作を説明するための図１におけるIV-IV 線断面図である。
【図５】  図６におけるV-V 線断面図である。
【図６】  従来の券銭分離装置の側面図である。
【図７】  従来の券銭分離装置の平面図である。
【図８】  従来の券銭分離装置の動作を説明するための図５におけるVIII-VIII線断面図である。
【符号の説明】
１…券銭分離装置、２…固定フレーム、３…可動フレーム、９，１０…傾斜ローラ、１６，１７…ガイド板、２３…券銭投入口部材、２４…券、２５…券収納部、２６…硬貨計数部、４２…券落とし部材、４２ｂ…券落とし部、４６…作動部材、４８…券滑落規制部材。
【図１】
0004123727.tif 000002
【図２】
0004123727.tif 000003
【図３】
0004123727.tif 000004
【図４】
0004123727.tif 000005
【図５】
0004123727.tif 000006
【図６】
0004123727.tif 000007
【図７】
0004123727.tif 000008
【図８】
0004123727.tif 000009